(57)【要約】【課題】面光源装置及びそれを有するバックライト装置を提供する。【解決手段】面光源装置は、複数個の発光部が形成された光源体と、該発光部に放電を起こすために各発光部上に配置されて該発光部の温度差（Δｔ）に依存して部分的にサイズを変えて形成された一つ以上の電極を含む。該電極が温度差（Δｔ）に起因して所定の基準値以下に低下する輝度均一性を補償するように構成した。【選択図】図４
2007027129.tif 000002
【特許請求の範囲】
【請求項１】
複数の発光部が形成された光源体と、該発光部に放電を起こすために各発光部上に配置され、かつ前記発光部の温度差（Δｔ）に依存して部分的にサイズを変えて形成された少なくとも一つの電極を含み、該電極は前記温度差（Δｔ）によって所定基準値以下に低下する輝度均一性を補償することを特徴とする面光源装置。
【請求項２】
前記光源体が、第１基板と、該第１基板上に配置された第２基板と、第１及び第２基板の間に介在されて前記発光部を形成する隔壁と、前記第１及び第２基板の各端部の間に介在されて前記隔壁が位置する前記内部空間を限定する封止部材と、を含むことを特徴とする請求項１に記載の面光源装置。
【請求項３】
前記光源体が、第１基板と、前記発光部を形成するために該第１基板と接合する隔壁部を有する第２基板と、を含むことを特徴とする、請求項１に記載の面光源装置。
【請求項４】
前記電極が、前記光源体の一面上で相互に向かい合うように配置されたことを特徴とする、請求項１に記載の面光源装置。
【請求項５】
前記電極が、前記光源体の第１面及び該第１面と向かい合う第２面上に配置されたことを特徴とする、請求項１に記載の面光源装置。
【請求項６】
隣接する前記発光部の間又は全体的な発光部の温度差が５℃以上である場合に、前記電極の一部が、他の部分に比して部分的に１５〜４０％増加したサイズを有することを特徴とする、請求項１に記載の面光源装置。
【請求項７】
隣接する前記発光部の間又は全体的な発光部の温度差が３℃以上である場合に、前記電極の一部が、他の部分に比して部分的に１０〜３０％増加したサイズを有することを特徴とする、請求項１に記載の面光源装置。
【請求項８】
前記電極が、第１の面積を有する第１電極部と、該第１の面積よりも大きい第２の面積を有する第２電極部と、を有することを特徴とする、請求項１に記載の面光源装置。
【請求項９】
前記第２電極部のサイズが、前記第１電極部と前記第２電極部との境界から連続的に増加することを特徴とする、請求項８に記載の面光源装置。
【請求項１０】
前記第２電極部のサイズが、前記第１電極部と前記第２電極部との境界から不連続的に又は段階的に増加することを特徴とする、請求項８に記載の面光源装置。
【請求項１１】
前記第２電極部が、階段形状を有することを特徴とする、請求項１０に記載の面光源装置。
【請求項１２】
複数の発光部が形成された光源体と、該発光部に放電を起こすために各発光部上に配置され、かつ前記発光部の温度差（Δｔ）に依存して部分的にサイズを変えて形成された少なくとも一つの電極を含み、該電極は前記温度差（Δｔ）によって所定基準値以下に低下する輝度均一性を補償する面光源装置と、
前記面光源装置を収納する上部ケース及び下部ケースを含むケースと、
前記面光源装置と前記上部ケースの間に介在される光学シートと、
前記面光源装置を駆動するための放電電圧を前記電極に印加するインバーターと、を含むことを特徴とするバックライト装置。
【請求項１３】
隣接する前記発光部の間又は全体的な発光部の温度差が５℃以上である場合に、前記電極が部分的に１５〜４０％増加したサイズを有することを特徴とする、請求項１２に記載のバックライト装置。
【請求項１４】
隣接する前記発光部の間又は全体的な発光部の温度差が３℃以上である場合に、前記電極が部分的に１０〜３０％増加したサイズを有することを特徴とする、請求項１２に記載のバックライト装置。
【請求項１５】
前記電極が、第１の面積を有する第１電極部と、該第１の面積よりも大きい第２の面積を有する第２電極部と、を有することを特徴とする、請求項１２に記載のバックライト装置。
【請求項１６】
前記第２電極部のサイズが、前記第１電極部と前記第２電極部との境界から連続的に増加することを特徴とする、請求項１５に記載のバックライト装置。
【請求項１７】
前記第２電極部のサイズが、前記第１電極部と前記第２電極部との境界から不連続的に又は段階的に増加することを特徴とする、請求項１５に記載のバックライト装置。
【発明の詳細な説明】
【技術分野】
【０００１】
本発明は、面光源装置及びそれを有するバックライト装置に関するものである。より詳細には、本発明は輝度分布の均一性が向上した面光源装置及びそれを有するバックライト装置に関するのである。
【背景技術】
【０００２】
液晶表示装置のバックライト用光源は、発光ダイオード（ＬＥＤ）のような点光源、冷陰極線管ランプ（ＣＣＦＬ）のような線光源及び平板蛍光ランプ（ＦＦＬ）のような面光源装置に区分することができる。
【０００３】
輝度均一性は、表示装置の映像品質を決定する重要な因子である。上述した光源の中で面光源の輝度均一性が最も優れており、したがって、最近開発された液晶表示装置には主に面光源がバックライト（後面光源）に使用されている。
【０００４】
面光源装置は、密閉された放電空間に注入された放電ガスから電子を放出させて電子が蛍光層と衝突して可視光線を発生させるメカニズムを有している。
【０００５】
大部分の面光源装置は、表示装置と結合され、重力方向とほぼ平行な方向に据え付けられる。この場合、面光源装置から発生した熱は対流によって上部の方に流れる。したがって、面光源装置の上部に配置された放電ガスは、面光源装置の下部に配置された放電ガスより活性化される。それによって面光源装置の上部で発生する光量が面光源装置の下部で発生する光量より多くなり、光の輝度にバラツキが発生する。面光源装置で発生した光の輝度均一性が低下した場合、面光源装置で発生した光を利用する表示装置で発生する映像の表示品質も低下する。
【０００６】
したがって、表示装置の表示品質を向上させるためには、後面光源の輝度均一性を改善することが非常に重要である。
【発明の開示】
【発明が解決しようとする課題】
【０００７】
本発明の目的は、輝度均一性が向上した面光源装置及びそれを含むバックライト装置を提供する。
【０００８】
本発明の他の目的は、垂直方向に設置された面光源の温度差に起因する輝度のバラツキを解消するための最適な電極構造を提供することである。
【課題を解決するための手段】
【０００９】
本発明の面光源装置は、複数の発光部が形成された光源体と、該発光部に放電を起こすために前記各発光部上に配置され、かつ該発光部の温度差（Δｔ）に依存して部分的にサイズを変えて形成された一つ以上の電極を含むものである。
【００１０】
そして、前記電極は、前記温度差（Δｔ）にしたがって所定基準値以下に低下する輝度均一性を補償する。
【００１１】
前記光源体は、第１基板と、該第１基板上に配置された第２基板と、第１及び第２基板の間に介在されて前記発光部を形成する隔壁と、前記第１及び第２基板の端の間に介在され、かつ前記隔壁が位置する内部空間を限定する封止部材と、を含む。
【００１２】
また、前記光源体は、第１基板と、前記発光部を形成するために該第１基板と接合する隔壁部を有する第２基板と、を含む。
【００１３】
前記電極は、前記光源体の一面上で相互に向かい合うように配置される。
【００１４】
また、前記電極は、前記光源体の第１面及び該第１面と向かい合う第２面上に配置される。
【００１５】
前記電極の一部は、隣接する発光部の間又は全体的な発光部の温度差が５℃以上である場合に、その他の部分に比べて部分的に１５〜４０％増加したサイズを有する。
【００１６】
あるいは、前記電極の一部は、隣接する発光部の間又は全体的な発光部の温度差が３℃以上である場合に、その他の部分に比べて部分的に１０〜３０％増加したサイズを有する。
【００１７】
前記電極は、第１の面積を有する第１電極部及び該第１の面積よりも大きい第２の面積を有する第２電極部を有する。
【００１８】
前記第２電極部のサイズは、前記第１電極部と前記第２電極部との境界から連続的に増加する。
【００１９】
あるいは、前記第２電極部のサイズは、前記第１電極部と前記第２電極部との境界から不連続的に又は段階的に増加する。
【００２０】
例えば、前記第２電極部は、階段形状を有する。
【００２１】
本発明のバックライト装置は、前記面光源装置と、面光源装置を収納する上部ケース及び下部ケースを含むケースと、前記面光源装置と上部ケースとの間に介在される光学シートと、前記面光源装置を駆動するための放電電圧を前記電極に印加するインバーターと、を含む。
【００２２】
要求される輝度均一性の水準は、表示装置の用途及び形態によって異なるので、高い輝度均一性が要求される場合には、相対的に小さな温度差に対しても電極の形状や構造を変えることが望ましい。
【００２３】
変化した電極形状は、局所的に面積を増加させ、又はその厚さを厚くすることが可能であり、連続的に、あるいは不連続的に面積が増加するようにすることもできる。
【発明の効果】
【００２４】
本発明によれば、発光部の温度差（Δｔ）にしたがって面光源装置の全体的な輝度均一性が所定基準値以下に低下する場合に、前記電極の形態において部分的にそのサイズを変えることで輝度のバラツキを補償する。したがって、面光源装置の光源体の温度が局所的に異なることに起因して発生する光の輝度バラツキの問題を克服することができ、該面光源装置を備えた液晶表示装置の表示品質を向上させることができる。
【発明を実施するための最良の形態】
【００２５】
以下、添付した図面を参照して本発明の好ましい実施例を詳しく説明する。
【００２６】
＜面光源装置＞
図１は、本発明の一実施例による面光源装置の側面図である。
【００２７】
図１を参照すると、本発明の一実施例による面光源装置７００は、光源体５００及び電極６００を含む。
【００２８】
本実施例において、光源体５００は、例えば、直方体の形状を有し、光源体５００の少なくとも一部は光を透過することができる透明物質を含む。本実施例で光源体５００は、例えば、光を透過することができる透明ガラスで製作できる。
【００２９】
図２は、図１に示した光源体の一実施例を図示した断面図である。
【００３０】
図２を参照すると、光源体５００は第１基板（ｆｉｒｓｔ  ｓｕｂｓｔｒａｔｅ）１１０、第２基板（ｓｅｃｏｎｄ  ｓｕｂｓｔｒａｔｅ）１２０、封止部材（ｓｅａｌａｎｔ）１３０、隔壁（ｐａｒｔｉｔｉｏｎ  ｗａｌｌ）１４０を含む。
【００３１】
第１基板１１０及び第２基板１２０はそれぞれ直方体のプレート形状を有し、相互に向かい合うようにして配置される。本実施例では、第１基板１１０及び第２基板１２０がそれぞれ透明なガラス基板を含む。
【００３２】
第１基板１１０及び第２基板１２０の間には封止部材１３０が介在される。封止部材１３０は、第１基板１１０と第２基板１２０との間に密閉された空間を提供する。好ましくは、封止部材１３０は四角形のフレーム形状を有し、第１基板１１０及び第２基板１２０の各端部の間に配置される。
【００３３】
隔壁１４０は、第１基板１１０、第２基板１２０によって形成された空間を複数個に区分することで発光部１０１を形成する。
【００３４】
この隔壁１４０は、第１基板１１０と第２基板１２０との間に介在され、第１基板１１０、第２基板１２０は、隔壁１４０によって所定の間隔をもって相互に離隔される。
【００３５】
隔壁１４０の各々は、相互に平行な配置とされ、該隔壁１４０については、発光部１０１が蛇行構造（ｓｅｒｐｅｎｔｉｎｅ  ｓｔｒｕｃｔｕｒｅ）を有するように配置することができる。
【００３６】
これとは異なり、各発光部１０１は隔壁１４０によって相互に隔離するように配置することもできる。この場合、隔離された各発光部１０１に配置された放電ガスの圧力を均一にするために、各隔壁１４０には少なくとも１個の貫通孔（図示せず）を形成することができる。ここで、隔壁１４０上に形成する貫通孔（図示せず）はジグザグ状の形態で配置することができる。すなわち、隔壁と貫通孔や連通路の配列及び形態は、本発明を限定することなく多様に実施することができる。
【００３７】
各発光部１０１には、均一な圧力を有するように放電ガス（ｄｉｓｃｈａｒｇｅ  ｇａｓ）を注入する。放電ガスは、発光部１０１に印加される電圧により放電して紫外線を発生させる。
【００３８】
各発光部１０１を形成する第１基板１１０及び第２基板１２０の内部には、放電によって発生した紫外線に励起されて可視光線を発生させる蛍光層１５０が形成される。該蛍光層１５０で発生した可視光線は、第１基板１１０及び第２基板１２０を通して出射される。本実施例では、可視光線を第２基板１２０又は第１基板１１０を通して出射させるために、可視光線を実質的に反射する光反射層（ｌｉｇｈｔ  ｒｅｆｌｅｃｔｉｏｎ  ｌａｙｅｒ）を、第１基板１１０又は第２基板１２０上に形成することができる。
【００３９】
図３は、図１に示した光源体の他の実施例を図示した断面図である。
【００４０】
図３を参照すると、光源体５００は第１基板２１０及び第２基板２２０を含む。
【００４１】
第１基板２１０は、例えば、直方体のプレート形状を有するガラス基板である。
【００４２】
第２基板２２０は、第１基板２１０と向かい合うように配置される。好ましくは、第２基板２２０は第１基板２１０に対して部分的に接合され、第１基板２１０と第２基板２２０との間には複数個の発光部２５０が形成される。各発光部２５０を形成するために、第２基板２２０は、凸部と凹部が交互に形成されることで屈曲した形状を有する。第２基板２２０のうち、その凹部は隣接する発光部２５０を相互に隔離させるための隔壁部２２２に該当する。第２基板２２０の発光部２５０上部の断面は、例えば、半円形状（シリンダー）又は台形状、三角形状、四角形状及び多角形状などをもつことができる。
【００４３】
第１基板２１０及び第２基板２２０の間には、フリットガラス（ｆｒｉｔ  ｇｌａｓｓ）２３０を介在させて堅固な結合を維持させることができる。
【００４４】
発光部２５０には放電ガス（図示せず）を注入する。放電ガスは、ネオン（Ｎｅｏｎ）、キセノン（Ｘｅｎｏｎ）、クリプトン（Ｋｒｙｐｔｏｎ）等を含むことができる。本実施例では、放電ガスは選択的に水銀（ｍｅｒｃｕｒｙ）をさらに含むことができる。放電ガスは、発光部２５０で発生した放電によって紫外線を発生させる。
【００４５】
一方、発光部２５０と対応する第１基板２１０及び第２基板２２０の内面には蛍光層２５５を形成する。蛍光層２５５は、発光部２５０で発生した紫外線に励起されて可視光線を発生させる。
【００４６】
本実施例では、プレート形状を有する第１基板２１０と、屈曲した形状の第２基板２２０を具備する面光源装置を開示しているが、本発明による面光源装置はこれと異なる形状を有することができ、光源の形態には制約を受けない。
【００４７】
前述した実施例及び本実施例による面光源装置７００は、局所的に温度差が発生し得る。このような温度差は、面光源装置７００の光出射面が重力方向に対して平行な方向に配置される場合においてさらに深刻になる虞がある。面光源装置７００の光出射面が重力方向に対して平行な状態で配置する場合に、面光源装置７００で発生された熱は対流などによって面光源装置７００の上部に移動し、それにより面光源装置７００の上部と面光源装置７００の下部の間に温度差が発生する。
【００４８】
面光源装置７００の温度が局所的に異なる場合には、面光源装置７００の内部に配置された放電ガスの温度に違いが生じ、それにより面光源装置７００で発生する光の輝度にバラツキが生じる。
【００４９】
このような面光源装置７００の温度差に起因する光の輝度均一性の低下に対して、本発明では、電極６００の形状又は構造を温度差に応じて変えることにより、所定の輝度均一度水準を維持することができる。
【００５０】
＜温度差に起因する輝度均一性の低下に対する補償＞
図４は、図１に示した面光源装置における電極構造の一実施例を図示した平面図である。
【００５１】
図４を参照すると、電極６００は、光源体５００に形成された各発光部５０１が延びる方向に対してほぼ垂直な方向に配置される。本実施例において、電極６００は光源体５００の第１面５００ａ（図１参照）に配置される。それとは異なり、電極６００は光源体５００の第１面５００ａと対向する第２面５００ｂ上に各々配置することもできる。あるいはそれと異なり、電極６００は光源体５００の第１面５００ａ及び第２面５００ｂ上にそれぞれ配置することもできる。また、電極６００は各発光部５０１の両端寄りの部分にそれぞれ配置される。電極６００には、発光部５０１の内部で放電を起こすための放電電圧（ｄｉｓｃｈａｒｇｅ  ｖｏｌｔａｇｅ）が印加される。
【００５２】
本実施例において、電極６００の幅、厚さ、長さ等のサイズ（ｄｉｍｅｎｓｉｏｎ）は、面光源装置７００の局所的な温度差に応じて異なるように設計され、図４に示す例によれば、電極６００が光源体５００の下部でＬ字形状に屈曲された形状を有する。
【００５３】
本実施例による電極６００は、面光源装置７００の光源体５００の端における発光部の温度が特に低い場合に好適である。
【００５４】
通常、面光源装置の発光部のうち、外郭寄りに配置される発光部は、相対的に温度が低いので発光特性が低下する。この欠点を克服するため、電極６００の端のサイズを他の部分よりも大きく形成している。ここで、光源体５００の上部及び光源体５００の下部における電極６００の各サイズについては、要求される輝度均一性によって調節することができる。例えば、ＬＣＤ型ＴＶで要求される輝度均一度が８０％以上の場合に、隣接する発光部の温度差が３℃以上であれば、電極の形態においてそのサイズを部分的に１０〜３０％以上増加させることで輝度低下を補償することができる。また、隣接する発光部の温度差が５℃以上である場合には、電極の形態においてそのサイズを部分的に１５〜４０％以上増加すれば良い。例えば、幅が１３ｍｍとされる電極に対して、隣接する発光部の温度が５℃程度低ければ、この発光部の電極の厚さを１５〜１７．５ｍｍに増加させることが好ましい。また、万一、隣接する発光部の温度が１０℃程度低ければ、この発光部の電極の厚さを１７〜２１ｍｍに増加すれば良い。
【００５５】
図４を参照すると、隣接する二つの発光部ＡとＢとの間の温度差に起因する輝度分布のバラツキを補償するために、発光部Ｂの面積が発光部Ａの面積に対して相対的に大きくなっていることが分かる。したがって、発光部Ｂで発生する光の量が増加して、面光源装置７００全面に亘って光の輝度均一性がさらに向上する。
【００５６】
図５は、本発明による面光源装置の電極について、他の実施例を図示した平面図である。本実施例では、電極６００の幅、厚さ、長さ等のサイズ（ｄｉｍｅｎｓｉｏｎ）が、面光源装置７００の全体的な温度差に応じて、互いに異なるように設計されており、図示したように電極６００は、光源体５００の上部から下部に向かって、平面で見た面積が連続的に増加する台形の形状を有する。本実施例による電極６００の形態は、面光源装置７００の光源体５００の温度が上部から下部に向かって次第に減少する場合に好適である。
【００５７】
例えば、光源体５００の光出射面が地面に対して垂直な方向に配置される場合、光源体５００の温度は光源体５００の下部から光源体の上部に向かって連続的に増加する。この場合、光源体５００から出射される光量は、光源体５００の上部から光源体５００の下部に向かって徐々に減少し、隣接する発光部（例えば、ＡとＢとの）間での温度差が比較的小さくても全体的な温度差は相当に大きくなり得る。それにより面光源装置７００から出射される光の輝度均一性が大きく低下する。
【００５８】
これを克服するため、電極６００のサイズ（例えば、横幅）を、光源体５００の上部から光源体５００の下部に向かって漸進的に増加させる。尚、ここで、電極６００は、その態様において、要求される輝度均一性に応えるように決定される。例えば、要求される輝度均一度が８０％以上の場合に、全体的な発光部の温度差が３℃以上であれば、電極のサイズを漸進的に１０〜３０％以上増加するように変化させることで輝度低下を補償することができる。また、全体的な発光部の温度差が５℃以上である場合には、電極のサイズを漸進的に１５〜４０％以上増加させれば良い。
【００５９】
したがって、面光源装置７００全面に亘って発生した光の輝度均一性が、大幅に高まることになる。
【００６０】
図６は、本発明による面光源装置の電極について、さらに別の実施例を図示した平面図である。本実施例では、電極６００の幅、厚さ、長さ等のサイズ（ｄｉｍｅｎｓｉｏｎ）が、面光源装置７００の局所的な、又は全体的な温度差に応じて変更される。
【００６１】
図６の実施例による電極６００は、面光源装置７００の光源体５００において、その下部の温度が特に低い場合に好適である。
【００６２】
本実施例では、電極６００のサイズ（例えば、面積）が、光源体５００の上部５０２から下部５０３に向かって距離Ｌに達するまでは等しく、その後に電極６００のサイズが連続的に増加していく。ここで、光源体５００の上部５０２及び光源体５００の下部５０３における、電極６００の各サイズの増加量は、輝度均一性に対応する。本実施例において、距離Ｌは、光源体５００の上部５０２で発生した光量及び光源体５００の下部５０３で発生した光量に応じて増減することができる。
【００６３】
このように、平面で見た電極６００の面積を、相対的に光量が少ない光源体５００の下部寄りの部分で連続的に増加させることにより、光源体５００の下部寄りの部分では、光の発生量が幾分増加することになり、これにより面光源装置７００で発生する光の輝度均一性を高めることができる。
【００６４】
図７は、本発明による面光源装置の電極についての、さらに別の実施例を図示した平面図である。本実施例では、電極６００の幅、厚さ、長さ等のサイズ（ｄｉｍｅｎｓｉｏｎ）が、面光源装置７００の局所的な温度に応じて異なるように設計される。図７の実施例による電極６００は、面光源装置７００の光源体５００の下部の温度が光源体５００の上部の温度に比べて低い場合に好適である。
【００６５】
本実施例では、電極６００のサイズが、光源体５００の下部が光源体５００の上部に比べて大きくなっている。尚、ここで、光源体５００の上部及び光源体５００の下部における、電極６００の各サイズの増加量は、輝度均一性に対応する。本実施例では、光源体５００の下部に形成された電極６００が、平面で見た時に階段形状を有しており、したがって、平面で見た時の電極の面積が、光源体５００の下部に近くなるほどに増加する。
【００６６】
このように、電極６００の面積を、相対的に光量が少ない光源体５００の下部近辺の部分で不連続的に、例えば段階的に増加させることにより、光源体５００の下部からは、光の発生量が幾分増加することになり、これにより面光源装置７００で発生される光の輝度均一性を高めることができる。
【００６７】
＜バックライト装置＞
図８は、本発明の一実施例によるバックライト装置を示した分解斜視図である。
【００６８】
図８を参照すると、本実施例によるバックライト装置は、図３に示した面光源装置７００と、上部ケース１１００及び下部ケース１２００と、光学シート９００及びインバーター１３００とを含む。
【００６９】
面光源装置７００に対する説明は、先に説明した面光源装置の実施例を通じて詳しく言及したので、面光源装置７００に関する重複説明を省略する。一方、前述した他の実施例による面光源装置を、バックライト装置に採用することもできる。
【００７０】
下部ケース１２００は、面光源装置７００を収納するために底部１２１０及び該底部１２１０の端から収納空間を形成するために延長された複数の側壁部１２２０からなる。そして、面光源装置７００は、下部ケース１２００の収納空間に収納される。
【００７１】
インバーター１３００は、下部ケース１２００の背面に配置され、面光源装置７００を駆動するための放電電圧を発生させる。インバーター１３００から発生された放電電圧は、第１及び第２の電源線（１３５２、１３５４）を通じて面光源装置７００の電極６００に各々印加される。
【００７２】
光学シート９００は、面光源装置７００から出射される光を均一に拡散させるための拡散板（図示せず）と、拡散した光に直進性を付与するためのプリズムシート（図示せず）とから構成することができる。
【００７３】
上部ケース１１００は、下部ケース１２００に結合されて、面光源装置７００と光学シート９００を支持する。そして、上部ケース１１００は、面光源装置７００が下部ケース１２００から離脱しないように防止する。
【００７４】
一方、映像を表示する液晶表示パネル（図示せず）を上部ケース１１００の上部に配置することができる。
【００７５】
以上、本発明の好ましい実施例を参照して説明したが、本発明の属する技術分野を熟知した当業者又は当該技術分野における通常の知識を有する者であれば、特許請求の範囲に記載した本発明の思想及び技術領域から逸脱しない範囲内で、本発明を多様に修正及び変更し得ることを理解できるであろう。
【産業上の利用可能性】
【００７６】
本発明によれば、面光源装置、そしてこれを有するバックライト装置（例えば、バックライトユニットや、該ユニットを実装した装置等）において発生された光の輝度均一性を向上させて、液晶表示装置などの表示品質を向上させることができる。
【図面の簡単な説明】
【００７７】
【図１】本発明の一実施例による面光源装置の側面図である。
【図２】図１に示す光源体の一実施例を図示した断面図である。
【図３】図１に示す光源体の他の実施例を図示した断面図である。
【図４】図１に示す電極の一実施例を図示した平面図である。
【図５】本発明による面光源装置の電極について他の実施例を図示した平面図である。
【図６】本発明による面光源装置の電極について、さらに別の実施例を図示した平面図である。
【図７】本発明による面光源装置の電極について、さらに別の実施例を図示した平面図である。
【図８】本発明の一実施例によるバックライト装置を示した分解斜視図である。
【符号の説明】
【００７８】
１０１    発光部
１１０    第１基板
１２０    第２基板
１３０    封止部材
１４０    隔壁
２１０    第１基板
２２０    第２基板
２５０    発光部
５００    光源体
５００ａ  第１面
５００ｂ  第２面
５０１    発光部
６００    電極
７００    面光源装置
９００    光学シート
１１００  上部ケース
１２００  下部ケース
１３００  インバーター
【図１】
2007027129.tif 000003
【図２】
2007027129.tif 000004
【図３】
2007027129.tif 000005
【図４】
2007027129.tif 000006
【図５】
2007027129.tif 000007
【図６】
2007027129.tif 000008
【図７】
2007027129.tif 000009
【図８】
2007027129.tif 000010